【手続補正書】
【提出日】平成16年9月15日(2004.9.15)
【手続補正１】
【補正対象書類名】明細書
【補正対象項目名】全文
【補正方法】変更
【補正の内容】
【書類名】      明細書
【発明の名称】  使い捨て着用物品およびその製造方法
【特許請求の範囲】
【請求項１】  肌当接面と着衣当接面とを有し、横方向ヘ並行して延びる前端縁と後端縁および前記横方向と交差して縦方向ヘ並行して延びる一対の側縁によって外形が画成され、前記縦方向には股下域を中心に前記前端縁側に前胴周り域が形成される一方、前記後端縁側に後胴周り域が形成されており、前記着衣当接面における前記前後胴周り域いずれかには前記側縁それぞれの近傍にテープファスナが取り付けられており、前記テープファスナを形成しているテープは、長さ方向で対向する固定端部と摘持可能な自由端部とを有し、前記固定端部が剥離不能に前記着衣当接面に固定され、前記自由端部を摘持して引張ると前記固定端部から前記自由端部へ向かう方向へ伸展可能であり、伸展したときに前記着衣当接面側となる前記テープ下面の少なくとも一部分に粘着剤が塗布されている使い捨て着用物品において、
前記テープは、前記自由端部の少なくとも一部分が前記側縁から外側へ延出した状態で取り付けられており、前記一部分の上下面が非粘着性に形成されていることを特徴とする前記使い捨て着用物品。
【請求項２】  前記テープは、前記固定端部から自由端部へ向かう方向へ伸展し得るように折り重ねられ、その折り重ねられた状態の上方に位置していて前記長さ方向において前記自由端部と前記自由端部に対向する第１端部とを有する第１テープと、前記第１テープの下方に位置していて前記着衣当接面と向かい合い、前記固定端部とこの固定端部に対向するとともに前記第１テープの前記第１端部に連結される第２端部とを有する第２テープとを含む請求項１記載の使い捨て着用物品。
【請求項３】  前記第１端部には前記自由端部から前記第１端部へ向かう方向において前記第２テープの前記第２端部を越えて延びる延出部が含まれており、前記延出部が前記着衣当接面側に剥離可能に接合している請求項１または２記載の使い捨て着用物品。
【請求項４】  前記第１テープと前記第２テープとの間にこれら両テープを連結する第３テープが介在し、前記第３テープは、一端部が前記第１テープの第１端部につながり、前記一端部の反対端部が前記第２テープの第２端部につながり、前記一端部と反対端部との間において前記第１テープと第２テープとの少なくとも一方に剥離可能に接合し、これら第１〜３テープがZ字型および逆Z字型のいずれかに折り重ねられている請求項１〜３のいずれかに記載の使い捨て着用物品。
【請求項５】  前記第１テープの第１端部が前記第３テープの前記一端部を越えて前記横方向へ延び、前記第３テープの前記一端部を越えて前記横方向へ延びている前記第２テープの固定端部に剥離可能に接合している請求項４に記載の使い捨て着用物品。
【請求項６】  前記使い捨て着用物品が使い捨ておむつであって、前記おむつが前胴周り域と後胴周り域とこれら両胴周り域の間に位置する股下域とを有し、前記両胴周り域が互いの側縁近傍において連結されていて胴周り開口と一対の脚周り開口とが形成されているパンツ型のものであり、前記テープファスナが前記両胴周り域いずれかの前記側縁それぞれの近傍における前記着衣当接面にその長さ方向を前記おむつの胴周り方向に一致させた状態で取り付けられており、前記テープファスナにおける前記自由端部の少なくとも一部分が前記いずれかの胴周り域の側縁を越えてその胴周りの外側にまで延びている請求項１〜５のいずれかに記載の使い捨て着用物品。
【請求項７】  前記前後胴周り域と前記股下域とに肌当接面側が透液性シートで覆われた吸液性コアと、前記コアの縁部から外方へ延びるシート部材によって形成されたフラップとを有し、前記テープファスナが前記フラップにおける前記着衣当接面に取り付けられている請求項１〜６のいずれかに記載の使い捨て着用物品。
【請求項８】  前記テープファスナが取り付けられている前記前後胴周り域いずれかの前記側縁間に前記横方向へ延びる弾性部材が伸長状態で取り付けられており、前記弾性部材を前記着用物品の外側から覆うように前記テープファスナが前記いずれかの胴周り域の着衣当接面に取り付けられている請求項１〜７のいずれかに記載の使い捨て着用物品。
【請求項９】  前記テープファスナが取り付けられている着衣当接面は、前記横方向へ弾性的に伸長可能なシートで形成されている請求項１〜８のいずれかに記載の使い捨て着用物品。
【請求項１０】  前記自由端部は、少なくともその一部分が前記側縁から外側へ０．７ｍｍ以上延出している請求項１〜９のいずれかに記載の使い捨て着用物品。
【請求項１１】  肌当接面と着衣当接面とを有し、横方向へ並行して延びる前端縁と後端縁および前記横方向と交差して縦方向ヘ並行して延びる一対の側縁によって外形が画成され、前記縦方向には股下域を中心に前記前端縁側に前胴周り域が形成される一方、前記後端縁側に後胴周り域が形成されており、前記着衣当接面における前記前後胴周り域のいずれかには前記側縁それぞれの近傍に前記横方向へ前記側縁を越えて前記いずれかの胴周り域の外側へ伸展可能なテープファスナが取り付けられている使い捨て着用物品の製造方法において、
前記テープファスナが取り付けられる前記着衣当接面を形成しているシートが前記着用物品の前記側縁となるべき部位を含んでおり、前記シートの複数が前記側縁となるべき部位どうしで横つながりとなったシート連続体として、かつ前記側縁となるべき部位の近傍が前記横方向へ弾性的に収縮可能な態様で前記横方向ヘ供給され、
上面と下面とを有する一条のテープがその長さ方向の中央部を除く両端部それぞれの下面に前記着衣当接面に剥離不能に止着する第１粘着剤を塗布され、前記中央部と前記端部それぞれの間に前記着衣当接面に剥離可能に止着する第２粘着剤を塗布されてなる粘着性のテープユニットを形成しており、前記テープユニットの長さ方向を前記横方向に一致させるとともに前記中央部に前記側縁となるべき部位をまたがせた状態で前記テープユニットを前記シート連続体の片面に供給して前記第１粘着剤を介して前記片面に接合し、しかる後に前記側縁となるべき部位において前記シート連続体と前記テープユニットとを切断し、切断後の前記シート連続体からはそれを前記側縁近傍において切断後の前記テープユニットよりも前記横方向へ大きく収縮させて前記着衣当接面を形成するシートを得るとともに、切断後の前記テープユニットからはそのシートの側縁近傍に接合して、少なくとも一部分が前記側縁から外側へ延出している前記テープファスナを得る工程が含まれることを特徴とする前記製造方法。
【請求項１２】  前記シートが前記横方向へ弾性的に伸長可能なものであって、弾性的伸長下に前記横方向へ供給される請求項１１記載の製造方法。
【請求項１３】  前記シートが非伸長性のシートと、前記シートに前記横方向への伸長下に接合された糸状弾性部材とを含む請求項１１または１２記載の製造方法。
【請求項１４】  前記テープファスナの少なくとも一部分を前記側縁から外側へ０．７ｍｍ以上延出させる請求項１１〜１３のいずれかに記載の製造方法。
【発明の詳細な説明】
【０００１】
【発明の属する技術分野】
この発明は、テープファスナを有する使い捨て着用物品とその製造方法に関する。
【０００２】
【従来の技術】
実開平６−７７７１９号公報に開示のパンツ型の使い捨ておむつは、液透過性の表面シート、液不透過性の裏面シートおよびこれら両シート間に介在する吸収体を有し、このおむつの前後のウエスト部は互いにそれぞれが接合されてウエスト開口部およびレッグ開口部を形成している。このパンツ型おむつは、ウエスト開口部とレッグ開口部との中間域における胴周り部に、胴周り方向に収縮して胴周り部にギャザーを形成する弾性部材を有し、裏面シートの外面には摘持部を有するテープファスナが、その摘持部を胴周り方向に向けて設けられている。
【０００３】
【発明が解決しようとする課題】
前記公報に開示のパンツ型のおむつでは、吸収体が存在していないサイドフラップ部にテープファスナが設けられている。テープファスナには一般的に低剛性のテープが使用されるため、胴周り弾性部材の収縮力が強いときにはテープファスナが変形してしまい、摘持部を摘みにくい場合がある。また、テープファスナがおむつの両側縁よりも内方に設けられているために、摘持部とサイドフラップとを識別することが難しくて摘持部だけを速やかに摘むことができない場合がある。
【０００４】
そこで、この発明は、着用物品に取り付けられたテープファスナの先端部分が摘み易くなるように、前記着用物品に改良を加えることを課題にしている。
【０００５】
【課題を解決するための手段】
前記課題解決のためのこの発明は、第１発明と第２発明とからなる。前記第１発明が前提とするのは、肌当接面と着衣当接面とを有し、横方向ヘ並行して延びる前端縁と後端縁および前記横方向と交差して縦方向ヘ並行して延びる一対の側縁によって外形が画成され、前記縦方向には股下域を中心に前記前端縁側に前胴周り域が形成される一方、前記後端縁側に後胴周り域が形成されており、前記着衣当接面における前記前後胴周り域いずれかには前記側縁それぞれの近傍にテープファスナが取り付けられており、前記テープファスナを形成しているテープは、長さ方向で対向する固定端部と摘持可能な自由端部とを有し、前記固定端部が剥離不能に前記着衣当接面に固定され、前記自由端部を摘持して引張ると前記固定端部から前記自由端部へ向かう方向へ伸展可能であり、伸展したときに前記着衣当接面側となる前記テープ下面の少なくとも一部分に粘着剤が塗布されている使い捨て着用物品である。
【０００６】
前記前提においてこの発明が特徴とするところは、前記テープの前記自由端部の少なくとも一部分が前記側縁から外側へ延出した状態で取り付けられており、前記一部分の上下面が非粘着性に形成されていること、にある。
【０００７】
かような第１発明には、次のような好ましい実施態様がある。
（１）前記テープは、前記固定端部から自由端部へ向かう方向へ伸展し得るように折り重ねられ、その折り重ねられた状態の上方に位置していて前記長さ方向において前記自由端部と前記自由端部に対向する第１端部とを有する第１テープと、前記第１テープの下方に位置していて前記着衣当接面と向かい合い、前記固定端部とこの固定端部に対向するとともに前記第１テープの前記第１端部に連結される第２端部とを有する第２テープとを含む。
（２）前記第１端部には前記自由端部から前記第１端部へ向かう方向において前記第２テープの前記第２端部を越えて延びる延出部が含まれており、前記延出部が前記着衣当接面側に剥離可能に接合している。
（３）前記第１テープと前記第２テープとの間にこれら両テープを連結する第３テープが介在し、前記第３テープは、一端部が前記第１テープの第１端部につながり、前記一端部の反対端部が前記第２テープの第２端部につながり、前記一端部と反対端部との間において前記第１テープと第２テープとの少なくとも一方に剥離可能に接合し、これら第１〜３テープがZ字型および逆Z字型のいずれかに折り重ねられている。
（４）前記第１テープの第１端部が前記第３テープの前記一端部を越えて前記横方向へ延び、前記第３テープの前記一端部を越えて前記横方向へ延びている前記第２テープの固定端部に剥離可能に接合している
（５）前記使い捨て着用物品が使い捨ておむつであって、前記おむつが前胴周り域と後胴周り域とこれら両胴周り域の間に位置する股下域とを有し、前記両胴周り域が互いの側縁近傍において連結されていて胴周り開口と一対の脚周り開口とが形成されているパンツ型のものであり、前記テープファスナが前記両胴周り域いずれかの前記側縁それぞれの近傍における前記着衣当接面にその長さ方向を前記おむつの胴周り方向に一致させた状態で取り付けられており、前記テープファスナにおける前記自由端部の少なくとも一部分が前記いずれかの胴周り域の側縁を越えてその胴周りの外側にまで延びている。
（６）前記前後胴周り域と前記股下域とに肌当接面側が透液性シートで覆われた吸液性コアと、前記コアの縁部から外方へ延びるシート部材によって形成されたフラップとを有し、前記テープファスナが前記フラップにおける前記着衣当接面に取り付けられている。
（７）前記テープファスナが取り付けられている前記前後胴周り域いずれかの前記側縁間に前記横方向へ延びる弾性部材が伸長状態で取り付けられており、前記弾性部材を前記着用物品の外側から覆うように前記テープファスナが前記いずれかの胴周り域の着衣当接面に取り付けられている。
（８）前記テープファスナが取り付けられている着衣当接面は、前記横方向へ弾性的に伸長可能なシートで形成されている。
（９）前記自由端部は、少なくともその一部分が前記側縁から外側へ０．７ｍｍ以上延出している。
【０００８】
また、前記課題解決のための前記第２発明が前提とするのは、肌当接面と着衣当接面とを有し、横方向へ並行して延びる前端縁と後端縁および前記横方向と交差して縦方向ヘ並行して延びる一対の側縁によって外形が画成され、前記縦方向には股下域を中心に前記前端縁側に前胴周り域が形成される一方、前記後端縁側に後胴周り域が形成されており、前記着衣当接面における前記前後胴周り域のいずれかには前記側縁それぞれの近傍に前記横方向へ前記側縁を越えて前記いずれかの胴周り域の外側へ伸展可能なテープファスナが取り付けられている使い捨て着用物品の製造方法である。
【０００９】
かかる製造方法において、この発明が特徴とするところは、その方法に次の工程が含まれることにある。すなわち、前記テープファスナが取り付けられる前記着衣当接面を形成しているシートが前記着用物品の前記側縁となるべき部位を含んでおり、前記シートの複数が前記側縁となるべき部位どうしで横つながりとなったシート連続体として、かつ前記側縁となるべき部位の近傍が前記横方向へ弾性的に収縮可能な態様で前記横方向ヘ供給される。上面と下面とを有する一条のテープがその長さ方向の中央部を除く両端部それぞれの下面に前記着衣当接面に剥離不能に止着する第１粘着剤を塗布され、前記中央部と前記端部それぞれの間に前記着衣当接面に剥離可能に止着する第２粘着剤を塗布されてなる粘着性のテープユニットを形成している。前記テープユニットの長さ方向を前記横方向に一致させるとともに前記中央部に前記側縁となるべき部位をまたがせた状態で前記テープユニットを前記シート連続体の片面に供給して前記第１粘着剤を介して前記片面に接合する。しかる後に前記側縁となるべき部位において前記シート連続体と前記テープユニットとを切断し、切断後の前記シート連続体からはそれを前記側縁近傍において切断後の前記テープユニットよりも前記横方向へ大きく収縮させて前記着衣当接面を形成するシートを得るとともに、切断後の前記テープユニットからはそのシートの側縁近傍に接合して、少なくとも一部分が前記側縁から外側へ延出している前記テープファスナを得る工程。
【００１０】
かかる第２発明には、下記の好ましい実施態様がある。
（１）前記シートが前記横方向へ弾性的に伸長可能なものであって、弾性的伸長下に前記横方向へ供給される。
（２）前記シートが非伸長性のシートと、前記シートに前記横方向への伸長下に接合された糸状弾性部材とを含む。
（３）前記テープファスナの少なくとも一部分を前記側縁から外側へ０．７ｍｍ以上延出させる。
【００１１】
【発明の実施の形態】
この発明に係る使い捨て着用物品の例として使い捨てのおむつを例にとり、そのおむつとそのおむつの製造方法の詳細を説明すると、以下のとおりである。
【００１２】
図１，２は、開放型使い捨ておむつ１の部分破断平面図と、同図のＩＩ−ＩＩ線切断面を示す図である。おむつ１は、着用者の肌に対する当接面を形成する透液性表面シート２と、着用者の着衣に対する当接面を形成する不透液性裏面シート３と、これら両シート２，３間に介在する吸液性コア４とを有し、このおむつ１が図１では裏面シート３が上となり、表面シート２が下となるように示されている。おむつ１は、幅方向（図１の横方向）へ互いに並行して延びる前端縁１１と後端縁１２と、幅方向と直交する縦方向へ互いに並行して延びる一対の側縁１３とによって外形が画成され、その縦方向には股下域８を中心に前端縁１１の側に前胴周り域６が形成され、後端縁１２の側に後胴周り域７が形成され、股下域８において側縁１３は湾曲している。表裏面シート２，３は、コア４の周縁から延出して重なり合いホットメルト接着剤（図示せず）を介して互いに接合し、前部フラップ１６、後部フラップ１７、側部フラップ１８を形成している。前部フラップ１６と後部フラップ１７とでは、胴周り弾性部材１９が表裏面シート２，３の少なくとも一方の内面に伸長状態で接合している。側部フラップ１８では、脚周り弾性部材２１が側縁１３の湾曲した部位に沿って伸長され、表裏面シート２，３の少なくとも一方の内面に接合している。後胴周り域７における側部フラップ１８の裏面シート３には、側縁１３それぞれの近傍にテープファスナ３０が取り付けられている。テープファスナ３０は、側縁１３を越えておむつ１の外側へ伸展し得るように折り重ねられている。表裏面シート２，３のそれぞれは、おむつ１の前後端縁１１，１２と側縁１３とを形成する前後端縁２ａ，２ｂ，３ａ，３ｂと側縁２ｃ，３ｃとを有する。
【００１３】
図２から明らかなように、テープファスナ３０は、頂部テープ３１と、底部テープ３２と、これら両テープ３１，３２間に位置してこれらを連結する中間部テープ３３とを有する。頂部テープ３１は、おむつ１の内側に位置する内端部３６と、おむつ１の幅方向において少なくとも一部分が側縁１３の近傍から側縁１３を越えておむつ１の外側にまで延びる外端部３７と、側縁１３の内側に位置する中間部３８とを有し、これら各部３６〜３８の下面には第２粘着剤３９が塗布されている。図２において、外端部３７が側縁１３を越えて延びる寸法はＳで示されており、好ましいおむつ１における寸法Ｓは０．７ｍｍ以上である。底部テープ３２は側縁１３の内側に位置しておむつ１の着衣当接面と向かい合っているもので、内端部４１と、外端部４２と、中間部４３とを有する。図示例のように３部のテープ３１，３２，３３からなる場合の底部テープ３２は、少なくとも内端部４１がテープファスナ３０の固定端部として第１粘着剤４４を介して裏面シート３に剥離することがないように固定される。より好ましい底部テープ３２は、図示のように内端部４１と、中間部４３と、中間部テープ３３に連結される部位を除く外端部４２とがこれらの下面に塗布された第１粘着剤４４を介して裏面シート３に固定される。かかる底部テープ３２はまた、外端部４２の一部分が第１粘着剤４４を介して中間部テープ３３に剥離することがないように連結されている。中間部テープ３３もまた側縁１３の内側に位置するもので、内端部４６と、外端部４７と、中間部４８とを有し、これらの下面には第３粘着剤４９が塗布されている。
【００１４】
頂部テープ３１は、内端部３６が中間部テープ３３の内端部４６を越えて内側ヘ延びる部分においておむつ１の着衣当接面側に対して、図示例では底部テープ３２の上面３２ａに対して容易に剥離するように仮止めされ、中間部テープ３３において上方へ折り返されている内端部４６に対しては剥離することがないように接合している。頂部テープ３１の外端部３７は、頂部テープ３１の長さ方向において、側縁１３を越えて寸法Ｓだけ延びた部分を含む適宜の範囲の第２粘着剤３９がフィルムの小片５１で覆われることによって、上下面が実質的に非粘着性となり、テープファスナ３０における摘持用の自由端部を形成している。頂部テープ３１の中間部３８は、その下方に位置する中間部テープ３３の上面３３ａに容易に剥離するように仮止めされている。中間部テープ３３は、頂部テープ３１と接合している内端部４６と、底部テープ３２の外端部４２と接合している外端部４７とを除く中間部４８が第３粘着剤４９を介して底部テープ３２の上面３２ａに対して容易に剥離するように仮止めされている。ただし、中間部テープ３３は、頂部テープ３１と底部テープ３２とのいずれかにのみ仮止めされていてもよいものである。
【００１５】
かように形成されている頂部テープ３１と中間部テープ３３と底部テープ３２とは一連のものとなってＺ字型に畳まれた状態にあり、頂部テープ３１における外端部３７をフィルムの小片５１とともに摘んで矢印Ｐで示されるおむつ１の外側へ向かって引張ると、容易に剥離するように仮止めされていた各部位が剥がれてテープファスナ３０のうちの頂部テープ３１と中間部テープ３３とが仮想線の如く長く延びる。第２粘着剤３９を底部テープ３２や中間部テープ３３から剥離容易にしたり、第３粘着剤４９を底部テープ３２から剥離容易にしたりするには、例えば第２粘着剤３９や第３粘着剤４９の粘着力を第１粘着剤４４の粘着力よりも低くする他に、それらのテープ３２，３３にシリコーンオイル等を塗布しておくことができる。このようなテープファスナ３０では、頂部テープ３１の外端部３７がおむつ１の側縁１３の外側へ延びているから、おむつ１の胴周りに弾性部材１９の収縮によってギャザーが生じ、テープファスナ３０がそのギャザーに紛れて識別困難になることがあっても、ファスナ３０の外端部３７は速やかに摘むことができる。そのような外端部３７は、その一部分、例えば頂部テープ３１の角部だけが側縁１３から０．７ｍｍ以上延出していれば足りる。頂部テープ３１の内端部３６と中間部テープ３３とは、底部テープ３２に対して着脱するものであって裏面シート３に対して直接的に着脱するものではないから、その着脱を反復しても裏面シート３に損傷を与えることがない。
【００１６】
図３，４は、テープファスナ３０の使用態様を示す図面である。図３では、おむつ１が着用状態にあって、後胴周り域７から長く延びたテープファスナ３０が第２粘着剤３９を介して前胴周り域６における着衣当接面に剥離可能に止められている。図４では、使用済みのおむつ１が丸められ、テープファスナ３０によってその丸められた状態に維持されている。このように、テープファスナ３０は、おむつ１を着用するときにも、おむつ１を丸めて廃棄するときにも使用することができる。
【００１７】
図５は、図１のおむつ１を連続的に製造する工程の一部を示す図面である。図の下方に示された一連の工程（１）〜（３）において、左方へ向かう方向が機械方向ＭＤであって、工程（１）では、おむつ１の複数の表面シート２が側縁２ｃどうしで横つながりとなった状態にある連続した透液性ウエブ６２を下にし、複数の裏面シート３が側縁３ｃどうしで横つながりとなった状態にある連続した不透液性ウエブ６３を上にし、これら両ウエブ６２，６３間にコア４を機械方向ＭＤへ所要の間隔をあけて間欠的に配置してなるおむつ連続体６５が機械方向ＭＤへ供給される。両ウエブ６２，６３は、コア４の外側において重なり合いホットメルト接着剤（図示せず）を介して互いに接合している。また、両ウエブ６２，６３間には、糸状の胴周り用弾性部材１１９と脚周り用弾性部材１２１とが伸長状態で取り付けられている。ウエブ６３は、機械方向ＭＤへ弾性的に伸長可能なもので、機械方向ＭＤへ所要倍率だけ伸長された状態でウエブ６２に接合している。おむつ連続体６５は、機械方向ＭＤに直交する交差方向ＣＤの寸法がおむつ１の縦方向の寸法と同じであり、図において交差方向ＣＤへ延びる仮想線Ａは、おむつ１の側縁１３に相当する位置にある。隣り合う仮想線ＡとＡとの中間にはコア４が位置し、重なり合う両ウエブ６２，６３が仮想線Ａ上のほぼ中央において丸く切り取られ、開孔６６が形成されている。ウエブ６３は、開孔６６が形成された状態においても連続体６５の搬送手段（図示せず）における真空吸引作用によって機械方向ＭＤへ伸長された状態に維持されている。
【００１８】
工程（２）では、図の上方に示された一連の工程（ａ）〜（ｄ）からテープファスナユニット６７が供給され、そのユニット６７が機械方向ＭＤへ進むおむつ連続体６５に対して、仮想線Ａをまたぐようにして取り付けられる。
【００１９】
工程（３）では、おむつ連続体６５がユニット６７とともに仮想線Ａに沿って切断されて、図１に示された個別のおむつ１となる。おむつ１では、連続体６５において伸長されていたウエブ６３が幅方向へ弾性的に収縮し、裏面シート３となる。ウエブ６３が収縮するときには、ウエブ６３に接合していたウエブ６２がひだを生じながら収縮する。おむつ連続体６５における開孔６６の縁は、おむつ１における股下域８の湾曲した側縁１３となる。図中のおむつ１において、胴周り用弾性部材１１９と脚周り用弾性部材１２１とは、伸長状態にある。
【００２０】
図５の上方に示された一連の工程（ａ）〜（ｄ）では、ユニット６７が作られる。ユニット６７は、その長さ方向において非伸長性のもので、工程（ａ）では、ユニット６７となるべきものの連続体３６７が図の右方から左方へ向かって供給される。工程（ｂ）では、連続体３６７がその幅方向へ切断されて、個別のユニット６７となる。工程（ｃ）では、工程（ｂ）で得られたユニット６７が９０°回転して、ユニット６７が機械方向ＭＤへ長く延びるようになる。工程（ｄ）では、回転後のユニット６７がおむつ連続体６５に供給される。なお、ユニット６７を得るための連続体３６７は、図示例と異なり機械方向ＭＤではなくて、交差方向ＣＤから供給されてもよく、そのときに連続体３６７を切断して得られる個別のユニット６７もまた交差方向ＣＤからおむつ連続体６５に供給される。
【００２１】
図６は、図５に示されたユニット６７が取り付けられたおむつ連続体６５のＶＩ−ＶＩ線に沿う切断面を示す図である。ユニット６７は、仮想線Ａに関して対称をなすもので、ユニット６７の左方部分は図示が省略されている。このユニット６７は、仮想線Ａをまたいで機械方向ＭＤへ延びる第１テープ１３１と、仮想線Ａの両側において不透液性ウエブ６３に第１粘着剤４４を介して接合している底部テープ３２と、同じく仮想線Ａの両側において第３粘着剤４９を介して底部テープ３２の上面３２ａに仮止めされている中間部テープ３３とを有し、第１テープ１３１が粘着剤１３９を介して中間部テープ３３の上面に仮止めされ、その粘着剤１３９がユニット６７の長さ方向中央部である仮想線Ａの近傍でプラスチックフィルム片１５１で被覆されている。これらのおむつ連続体６５とユニット６７とは、仮想線Ａに沿って切断される。切断後のウエブ６３は、それに接合されているウエブ６２と胴周り用弾性部材１１９とともに図の左右方向、すなわちおむつ１の幅方向へ収縮する一方、切断後のユニット６７は収縮することがなく、切断後の連続体６５は図１に示された個別のおむつ１と、それに取り付けられたテープファスナ３０とになる。また、透液性ウエブ６２と不透液性ウエブ６３とは、切断されることによって表面シート２と裏面シート３とになり、仮想線Ａに沿って表裏面シート２，３の側縁２ｃ，３ｃと、おむつ１の側縁１３とが形成される。ユニット６７における第１テープ１３１と粘着剤１３９とプラスチックフィルム片１５１とは、仮想線Ａに沿って二分されると図２のテープファスナ３０の頂部テープ３１と第２粘着剤３９と、小片５１とになる。ユニット６７の底部テープ３２と第１粘着剤４４とは、図２の底部テープ３２と第１粘着剤４４とになり、中間部テープ３３と第３粘着剤４９とは、図２の中間部テープ３３と第３粘着剤４９とになる。図６において１個のユニット６７から得られる２個のテープファスナ３０は、仮想線Ａ−Ａの右側に位置する部位がＺ字型に折り重ねられた状態にあり、左側に位置する部位が逆Ｚ字型に折り重ねられた状態にある。
【００２２】
なお、図６の工程においてテープユニット６７がその長さ方向へ弾性的に伸長された状態で供給されるときには、おむつ連続体６５とテープユニット６７との切断後において、おむつ１の側縁１３の近傍における表裏面シート２，３の収縮量をテープファスナ３０の頂部シート３１の収縮量よりも大きくすることによって、好ましくはこれらの収縮量の差を０．７ｍｍ以上にすることによって、図１のおむつを得ることができる。
【００２３】
個別のおむつ１を連続的に製造する方法において、かくのごとくウエブ６３を切断するときにユニット６７をも同時に切断すると、伸長されていたウエブ６３だけが収縮することによって、または、伸長されていたウエブ６３がテープユニット６７よりも大きく収縮することによって、テープファスナ３０の外端部３７が自動的に側縁１３からおむつ１の外側へ延出する。
【００２４】
図７の（ａ），（ｂ）は、図５の製造工程において、テープファスナ３０が裏面シート３を介して胴周り弾性部材１９の上に位置するように、ユニット６７および／または弾性部材１１９の位置を変化させることによって得られるおむつ１の要部を示す図と、そのＹ−Ｙ線接断面を示す図である。図５の工程（１）、（２）において、弾性部材１１９は仮想線Ａ−Ａどうしの間で伸長状態にあって、ウエブ６２および／またはウエブ６３の内面に接合している。工程（３）でおむつ連続体６５が切断されると、仮想線Ａ−Ａの近傍で弾性部材１１９が収縮するときに、表裏面シート２，３もそれらにギャザーを生じながら収縮する。一方、テープファスナ３０は収縮しないので、図７（ｂ）に示されるように、表裏面シート２，３が収縮した寸法だけ側縁１３から外側へ延出する。このようにして得られるおむつ１のテープファスナ３０もまた、図５で得られるおむつ１のそれと同じように作用する。また、このおむつ１では、弾性部材１９がテープファナ３０を引張る方向とは反対の方向へ収縮しているので、テープファスナ３０を伸展するときには、ファスナ３０において折り重ねられているテープどうしの間に強い剥離力が作用してテープファスナ３０の伸展が容易になる。この発明では、図７の表面シート２を得るための図５のウエブ６２として、弾性的に伸長可能なものを伸長状態で使用することも可能である。そのウエブ６２は、仮想線Ａ−Ａで切断されると弾性部材１１９とともに弾性的に収縮する。
【００２５】
図８は、この発明の実施態様の一例を示す図２と同様な図面である。このおむつ１におけるテープファスナ３０では、頂部テープ３１の内端部３６が中間部テープ３３の内端部４６の上で終わっており、その内端部４６を越えておむつ１の内側ヘ延びるということがない。
【００２６】
図９，１０もまた、この発明の実施態様を示す図２と同様な図面であるが、これらの図のテープファスナ３０は、頂部テープ３１と底部テープ９３２とからなる。図９では、底部テープ９３２の内端部９４１が上方ヘ折り返されて、頂部テープ３１の下面側に第１粘着剤４４を介して剥離することがないように接合する一方、外端部９４２が下方へ折り返されて裏面シート３の上面側に第１粘着剤４４を介して剥離することがないように固定している。頂部テープ３１は図２のそれと同様に形成されており、内端部３６が底部テープ９３２の内端部９４１を越えておむつ１の内側へ延び、第２接着剤３９を介して裏面シート３に剥離可能に接合する一方、外端部３７の少なくとも一部分がおむつ１の側縁１３を越えておむつ１の外側へ延びている。かようなテープファスナ３０は、外端部３７を摘んで矢印Ｐで示されるおむつ１の外側へ向けて引張ると、頂部テープ３１の内端部３６が裏面シート３から剥離して頂部テープ３１と底部テープ９３２とがその外側へ向かって延びる。図１０のテープファスナ３０は、底部テープ９３２の内端部９４１と外端部９４２とが折り返されることなく直状に伸びていて、それぞれの端部９４１，９４２が第１接着剤４４を介して頂部テープ３１と裏面シート３とに剥離することがないように接合している。このテープファスナ３０もまた、矢印Ｐ方向へ引張ると、頂部テープ３１の内端部３６が裏面シート３から剥離して、頂部テープ３１と底部テープ３２とが側縁１３の外側へ延びる。これらの図に示されているように、この発明におけるテープファスナ３０は、変形自由な摘持用外端部３７を有する頂部テープ３１と、延びたときに外端部３７と対向している固定用の内端部９４２を有する底部テープ９３２とで形成し、図２の中間部テープ３３を省くことができる。ただし、このテープファスナ３０は、中間部テープ３３を欠いている分だけ短くなる。このような図９，１０のテープファスナ３０は、図２，８のものに比べて構造が簡単で安価に入手可能であるが、テープファスナ３０の外端部３７を引張って頂部テープ３１を裏面シート３から剥離させるときに、裏面シート３に損傷を与え易い。
【００２７】
図１１は、この発明の実施態様の一例であるパンツ型使い捨ておむつ２０１の部分破断斜視図である。おむつ２０１は、透液性表面シート２０２と、不透液性裏面シート２０３と、これら両シート２０２，２０３間に介在する吸液性コア２０４とからなり、前胴周り域２０６と、後胴周り域２０７と、股下域２０８とを有する。前後胴周り域２０６と２０７とは、それぞれの側縁２１３に沿う部分で重なり合い、おむつ１の上下方向へ間欠的に並ぶ部位２１０において互いに接合し、胴周り開口２７１と脚周り開口２７２とを形成し、それぞれの開口２７１，２７２の周縁部には胴周り弾性部材２１９と脚周り弾性部材２２１とが伸長状態で取り付けられている。後胴周り域２０７の側縁２１３の近傍には、図２のテープファスナ３０と同様なテープファスナ２３０が取り付けられている。ファスナ２３０は、外端部２３７の一部分が側縁２１３を越えておむつ２０１の外側へ延びている。
【００２８】
図１２は、図１１のＸＩＩ−ＸＩＩ線切断面を示す図面である。おむつ２０１は、前後胴周り域２０６，２０７が互いの側縁２１３の近傍において合掌状に重なり合い、部位２１０において前後胴周り域２０６，２０７の表面シート２０２と裏面シート２０３とが互いに接合しておむつ２０１の側方へ突出する平坦な積層部２４０を形成している（図１１を併せて参照）。テープファスナ２３０では、図２のテープファスナ３０と同一の部位がテープファスナ３０の参照符号に２００を加えて示されている。このおむつ２０１では、テープファスナ２３０における頂部テープ２３１の外端部２３７が前後胴周り域２０６と２０７との積層部２４０における側縁２１３を越えておむつ２０１の幅方向外側へ延びている。それゆえ、テープファスナ２３０は外端部２３７を摘むことが容易で、摘んだ外端部２３７は、仮想線で示されるように矢印Ｐ方向へ、前胴周り域２０６へ届くように延ばすことができる（図１３参照）。
【００２９】
図１３は、おむつ２０１におけるテープファスナ２３０の使用態様を示す図面である。図１３のおむつ２０１では、胴周り方向のだぶつきを少なくするために、後胴周り域２０７から延びてきたテープファスナ２３０を使ってタックをとるように前胴周り域２０６が後胴周り方向へ引き寄せられている。このテープファスナ２３０は、図４のテープファスナ３０と同様に使用後のおむつを丸めるために使用することもできる。
【００３０】
図示例において使い捨ておむつを例にして説明したこの発明は、失禁者用おむつやトレーニングパンツ等の使い捨て着用物品においても実施することができる。
【００３１】
【発明の効果】
この発明に係る使い捨て着用物品は、テープファスナを摘持するための外端部がその物品の側縁を越えて外側へ延びているから、テープファスナの摘持が容易である。この発明に係る使い捨て着用物品の製造方法によれば、テープファスナを取り付けるべき裏面シートを弾性的に収縮させることによってテープファスナを摘持するための外端部を着用物品の側縁から外側へ延ばすことができる。
【図面の簡単な説明】
【図１】
使い捨ておむつの部分破断平面図。
【図２】
図１のＩＩ−ＩＩ線切断面を示す図。
【図３】
テープファスナの使用態様を示す図。
【図４】
テープファスナの使用態様の他の一例を示す図。
【図５】
使い捨ておむつの製造工程の一部分を示す図。
【図６】
図５のＶＩ−ＶＩ線切断面を示す図。
【図７】
（ａ）は一部分が図５とは異なる工程で製造されたおむつの要部を示す図、（ｂ）は（ａ）のＹ−Ｙ線切断面を示す図。
【図８】
実施態様の一例を示す図２と同様な図。
【図９】
実施態様の他の一例を示す図２と同様な図。
【図１０】
実施態様の一例を示す図２と同様な図の要部。
【図１１】
パンツ型使い捨ておむつの部分破断斜視図。
【図１２】
図１１のＸＩＩ−ＸＩＩ線切断面を示す図。
【図１３】
テープファスナの使用態様を示すパンツ型使い捨ておむつの斜視図。
【符号の説明】
１      使い捨て着用物品（おむつ）
２      透液性シート（表面シート）
３      シート（裏面シート）
４      コア
６      前胴周り域
７      後胴周り域
８      股下域
１１      前端縁
１２      後端縁
１３      側縁
１８      フラップ
１９      弾性部材
３０      テープファスナ
３１      第１テープ（頂部テープ）
３２      第２テープ（底部テープ）
３３      第３テープ（中間部テープ）
３６      第１端部（内端部）
３７      自由端部（外端部）
３９      粘着剤（第２粘着剤）
４１      固定端部（内端部）
４２      第２端部（外端部）
４４      第１粘着剤
４６      一端部（内端部）
４７      反対端部（外端部）
６３      シート連続体（不透液性ウエブ）
６７      テープユニット
１３９      粘着剤
２０１      使い捨て着用物品（おむつ）
２０２      透液性シート（表面シート）
２０３      シート（裏面シート）
２０４      コア
２０６      前胴周り域
２０７      後胴周り域
２０８      股下域
２１１      前端縁
２１２      後端縁
２１３      側縁
２１９      弾性部材
２３０      テープファスナ
２３７      自由端部（外端部）
９４１      第２端部（内端部）
９４２      固定端部
【手続補正２】
【補正対象書類名】図面
【補正対象項目名】図９
【補正方法】変更
【補正の内容】
【図９】
2003275243.tif 000001
【手続補正３】
【補正対象書類名】図面
【補正対象項目名】図１０
【補正方法】変更
【補正の内容】
【図１０】
2003275243.tif 000002
【手続補正４】
【補正対象書類名】図面
【補正対象項目名】図１３
【補正方法】変更
【補正の内容】
【図１３】
2003275243.tif 000003